(57)【要約】  空気作動ポンプ１０は、空気モータ１８のバルブキャップ１６に取付けられた磁石１４と、バルブカバー２２に取付けられた二つのリードセンサ２０とを用いてバルブの速度及び位置をモニタする。ソレノイド２４はバルブカバー２２に取付けられており、バルブキャップ１６にプランジャ２６を延ばすことでバルブの動き、そしてポンプが暴走するのを止めるよう設定されている。磁気抵抗センサ３４は、空気モータ１８の中心に配置される事でピストン３６の位置を正確にモニタし、空気バルブセンサ２０と共にポンプ１０の正確な制御及び診断に必要な入力を提供しており、それを測定及び複数の部品適用に適合させる。
2009503338.tif 000002
【特許請求の範囲】
【請求項１】
バルブキャップとバルブカバーとを備えるエアーバルブを有する空気作動ポンプであって、
空気モータのバルブキャップに設けられた磁石と、
バルブの速度及び位置をモニタするためにバルブカバーに設けられた第１及び第２のリードセンサとを有する空気作動ポンプ。
【請求項２】
プランジャを有しており且つ前記バルブカバーに設置されたソレノイドを有し、前記ソレノイドが前記プランジャを前記バルブキャップに延ばすことで、バルブの動き、そしてポンプが暴走する事を止めることができる請求項１の空気作動ポンプ。
【請求項３】
様々なパラメータの表示を可能にするために前記リードセンサをモニタする使用者のインターフェースを有する請求項１の空気作動ポンプ。
【請求項４】
前記パラメータが回転率、流速、合計回転及び診断したエラーを含む請求項３の空気作動ポンプ。
【請求項５】
前記空気作動ポンプがピストンを有し、前記ピストンの位置を検出するためのセンサを有する請求項１の空気作動ポンプ。
【請求項６】
前記センサが磁気抵抗センサを有する請求項５の空気作動センサ。
【発明の詳細な説明】
【技術分野】
【０００１】
本発明は、２００５年７月２８日に出願された米国出願第６０／７０３３０６号及び２００５年８月１日に出願された米国出願第６０／７０４２９０号の利益を主張する。
【背景技術】
【０００２】
空気作動往復ピストンポンプは様々な分野のポンプにおいて周知である。一般にそのようなポンプは機械又は空気圧で稼動される空気バルブを有する事で、ピストンの両側への空気の流れを制御する。従来、そのようなポンプの制御はポンプ自体よりももたらされる流体の流れを監視及び制御する事によってなされてきた。グラコのEXTREME-MIX（商標）分配器のような従来の装置は制御のためにピストンの位置を監視する。
【特許文献１】米国特許第５，１７４，７３１号公報
【発明の開示】
【０００３】
したがって、本発明の目的は、改良された監視と往復空気モータの制御とを可能にする事で、ピストンの位置と、回転及び流れの速さと、合計回転と、暴走の制御と、空気モータ及びポンプの下部部品の故障を診断する性能とをモニタすることを可能にする。
【０００４】
制御には空気モータのバルブキャップに設置された磁石と、バルブカバーに設置された二つのリードセンサを用いる事で、バルブの速度及び位置を監視する。ソレノイドはバルブカバーに取付けられており、プランジャをバルブキャップへと延ばすことで、バルブの動き、結果的に（一般に流体供給器が空になることによって生じる）ポンプの暴走を阻止するよう設定される。使用者のインターフェースは、ポンプを設定及び制御するためのＬＣＤ及びボタンを有する。ディスプレイは回転率、（様々な単位の）流速、合計回転、及び診断されたエラーを表示するためにトグルで留められている。設定パラメータは流体の単位（クォーツ、リッターなど）と暴走設定ポイントとを有する。
【０００５】
リードスイッチ及び磁石は、いつ空気バルブがそれぞれのストロークの限界点、移行点又はその両方に存在するかを検出するために設置されている。コントローラは、空気バルブの位置を変化させる事によって稼動されるリードスイッチの開閉を数える事で、モータが動く速度を算出する。そして、コントローラはその速度を事前にプログラムされた値と比較する事で、空気モータが暴走状態にあるかどうかを決定する。その状態にあるときには、コントローラは切り替えを阻止するソレノイドを稼動させ、それによってモータを停止させる。
【０００６】
磁気抵抗センサがピストンの位置を正確に監視するために空気モータの中心に配置される。このセンサからのデータは空気バルブセンサからのデータと共に正確な制御及びポンプの診断に必要な入力を提供し、測定及び複数の部品装置にそれを適合させる。
【０００７】
これら及び他の目的と発明の利点とは添付図面と共になされる以下の説明によってより十分に明らかになるであろう。添付図面において、類似の参照番号はいくつかの図面を通して同一又は類似の部品を示す。
【発明を実施するための最良の形態】
【０００８】
空気作動往復ビストンポンプ１０において、コントローラ１２は空気モータ１８のバルブキャップ１６に取付けられた磁石１４と、バルブカバー２２に取付けられた二つのリードセンサ２０とを用いて、バルブ１６の速度と位置とをモニタする。ソレノイド２４はバルブカバー２２に取付けられており、バルブキャップ１６にプランジャ２６を突き出す事でバルブの動き、結果的に（一般に流体供給器が空になる、又は別の供給管のホースが漏れ／破損を有する事によって起こる）ポンプ１０の暴走を止めるよう設定されている。使用者のインターフェース２８は、ポンプ１０を設定及び制御するためのＬＣＤディスプレイ３０とボタン３２とを有する。ディスプレイ３０は回転率、（様々な単位の）流速、合計回転及び診断したエラーを表示するためにトグルで留められている。設定パラメータは流体の単位（クォーツ、リッターなど）及び暴走設定点を含むことができる。
【０００９】
リードスイッチ２０及び磁石１４は、いつ空気バルブ１６がそれぞれのストロークの限界位置、移行位置又はその両方にあるかを検出するために配置されている。コントローラ１２は、空気バルブ１６の位置を変更する事によって稼動されるリードスイッチ２０の開閉を数える事によって、モータ１８が動いている速度を算出する。そして、コントローラ１２はその値を予め記録された値と比較することによって、空気モータ１８が暴走状態にあるかどうかを決定する。その状態にある場合、コントローラ１２は、切り替えを阻止するソレノイド２４を稼動させる事で、モータ１８を停止させる。これは流体の流出及び／又はポンプの損傷を阻止するために行われる。
【００１０】
磁気抵抗センサ３４は空気モータ１８の中心に配置される事によって、ピストン３６の位置を正確にモニタする。このセンサ３４からのデータは空気バルブセンサ２０からのデータと共にポンプ１０の正確な制御及び診断に必要な入力を提供し、それを測定及び複数の部品適用に適合させる。
【００１１】
様々な変更及び改良が以下の請求項によって規定される発明の精神及び範囲から逸脱することなくポンプの制御にもたらされることが想定される。
【図面の簡単な説明】
【００１２】
【図１】本発明の一部としての磁石及びリードスイッチを示す空気バルブの断面図
【図２】本発明の一部としての空気バルブの断面である図１の詳細図
【図３】本発明の一部としてのソレノイドを示す空気バルブの（図１と対向する）断面図
【図４】本発明を採用しているポンプの図
【図５】本発明の使用者のインターフェースの詳細図
【図６】空気バルブを検出する事によって得られる診断コード
【図７】ピストン及び磁気抵抗センサ
【図１】
2009503338.tif 000003
【図２】
2009503338.tif 000004
【図３】
2009503338.tif 000005
【図４】
2009503338.tif 000006
【図５】
2009503338.tif 000007
【図６】
2009503338.tif 000008
【図７】
2009503338.tif 000009
【国際調査報告】
2009503338.tif 000010
2009503338.tif 000011